(57)【要約】【課題】本発明は、携帯可能な食品用包装体を提供すると共に、使用中以外は捨て紙を衛生的に容器内に収納することができる食品用包装体を提供することを目的とする。【解決手段】食品及び捨て紙を収納する食品用包装体において、対向する側面二箇所が開口した筒状の直方筐体と、該直方筐体の内部上方にベルト支持板が梁渡され、該ベルト支持板の外周に開口方向に摺動する無端ベルトが回転可能に摺動外嵌され、該無端ベルトの上面には複数の捨て紙の束が接着されている引出板が固着され、前記無端ベルトの下面には食品収納箱が固着されていることを特徴とする食品用包装体である。【選択図】図１
2012025416.tif 000002
【特許請求の範囲】
【請求項１】
食品及び捨て紙を収納する食品用包装体において、対向する側面二箇所が開口した筒状の直方筐体と、該直方筐体の内部上方にベルト支持板が梁渡され、該ベルト支持板の外周に開口方向に摺動する無端ベルトが回転可能に摺動外嵌され、該無端ベルトの上面には複数の捨て紙の束が接着されている引出板が固着され、前記無端ベルトの下面には食品収納箱が固着されていることを特徴とする食品用包装体。
【請求項２】
前記捨て紙の束が、内部側の根元部分が相互に接着される接着部を有することによって束状に形成されていることを特徴とする請求項１に記載された食品用包装体。
【請求項３】
前記捨て紙の束が、前記接着部と接着されていない箇所の境界線に沿うようにミシン目が形成されていることを特徴とする請求項２に記載された食品用包装体。
【請求項４】
前記捨て紙の束が、外部側の先端片側角部に切欠部が形成されていることを特徴とする請求項３に記載された食品用包装体。
【請求項５】
前記複数の捨て紙の表面に文字・図形等による情報が印刷されていることを特徴とする請求項１乃至４のいずれか一に記載された食品用包装体。
【請求項６】
前記直方筐体の上面に開口した窓部が形成され、前記捨て紙の表面に印刷された情報が外部より視認可能に形成されていることを特徴とする請求項５に記載された食品用包装体。
【請求項７】
前記食品収納箱の上面に収納された食品を取り出すための開口部が形成されていることを特徴とする請求項１乃至６のいずれか一に記載された食品用包装体。
【発明の詳細な説明】
【技術分野】
【０００１】
本発明は、携帯可能な食品用包装体に関し、粒ガム等の小型定型食品を収納する食品用包装体に関する。
【背景技術】
【０００２】
近年、複数の粒ガムを容器内に収納した食品用包装体が市販されている。これらの食品包装体に収納された粒ガムは個装されずに、未包装の状態で容器に収納されている。そのため噛み終えたガムを捨てる際にいわゆる捨て紙を複数用意する必要がある。例えば、捨て紙を粒ガムと共に収納したボトル状の食品用包装体が知られている（例えば、特許文献１〜３）。
【０００３】
しかし、捨て紙を粒ガムと共に収納したボトル状の食品用包装体は、噛み終ったガムを捨てる際に、容器を開け、重なっている複数の捨て紙の束から必要枚数を切り離し、再び容器内に捨て紙の束を戻すために、衛生面から好ましくないという問題点があった。また、このような食品用包装体においては、特に使用開始時に捨て紙の束が小型定型食品に埋もれている事が多く、取り出すのに時間がかかるという問題点があった。
【０００４】
一方、捨て紙の束を容器の外側に貼り付けておく食品用包装体においては、捨て紙の束が剥がれ落ちる可能性があるという問題点があった。
さらに上記の食品用包装体は容器の形状がボトル状であり、衣服のポケット等に入れて携帯するのには好適ではなかった。
他方、携帯可能な食品用包装体としては、特許文献４が知られている。これは個装された板ガムを捨て紙と共に取り出すことができ、衛生上も問題がない。
【０００５】
しかし、このような食品用包装体は、板ガムには好適であるが、粒ガムや飴等の小型定型食品を収納するのには好適ではない。
また、ガム等の食品を個装する食品用包装体については、特別な製造装置若しくは手作業による煩雑な製造工程が必要であることから、一般的に生産コスト上の問題点が指摘されていた。
【先行技術文献】
【特許文献】
【０００６】
【特許文献１】特開平２００６−８９０５４号公報
【特許文献２】特開２００８−２３０６７４号公報
【特許文献３】特開２００９−１５４８９４号公報
【特許文献４】特開２００９０１７３３２２号公報
【発明の概要】
【発明が解決しようとする課題】
【０００７】
本発明は、携帯可能な食品用包装体を提供すると共に、使用中以外は捨て紙を衛生的に容器内に収納することができる食品用包装体を提供することを目的とする。
また、従来に比較して製造コストを低廉化し得る食品用包装体を提供することを目的とする。
【０００８】
また本発明は、包装体に捨て紙の束を固着しておき、使用時に簡単に取り出すことができ、捨て紙の束から所望の捨て紙を容易に切り離すことができる食品包装体を提供することを目的とする。
さらに本発明は、文字等の情報を捨て紙に予め印刷しておくことにより、新規な広告方法としての機能を奏する食品包装体を提供することを目的とする。
【課題を解決するための手段】
【０００９】
本発明は、上記の課題を解決するために以下の構成を採用した。
（１）食品及び捨て紙を収納する食品用包装体において、対向する側面二箇所が開口した筒状の直方筐体と、該直方筐体の内部上方にベルト支持板が梁渡され、該ベルト支持板の外周に開口方向に摺動する無端ベルトが回転可能に摺動外嵌され、該無端ベルトの上面には複数の捨て紙の束が接着されている引出板が固着され、前記無端ベルトの下面には食品収納箱が固着されていることを特徴とする食品用包装体である。
【００１０】
（２）前記捨て紙の束が、内部側の根元部分が相互に接着される接着部を有することによって束状に形成されていることを特徴とする上記（１）に記載された食品用包装体である。
（３）前記捨て紙の束が、前記接着部と接着されていない箇所の境界線に沿うようにミシン目が形成されていることを特徴とする上記（２）に記載された食品用包装体である。
（４）前記捨て紙の束が、外部側の先端片側角部に切欠部が形成されていることを特徴とする上記（３）に記載された食品用包装体である。
【００１１】
（５）前記複数の捨て紙の表面に文字・図形等による情報が印刷されていることを特徴とする上記（１）乃至（４）のいずれか一に記載された食品用包装体である。
（６）前記直方筐体の上面には収納された商品を取り出すための窓部が形成され、前記捨て紙の表面に印刷された情報が外部より視認可能に形成されていることを特徴とする上記（５）に記載された食品用包装体である。
（７）前記食品収納箱の上面に収納された食品を取り出すための開口部が形成されていることを特徴とする上記（１）乃至（６）のいずれか一に記載された食品用包装体である。
【発明の効果】
【００１２】
本発明は、携帯可能な食品用包装体を提供し、使用中以外は捨て紙を衛生的に容器内に収納することができる食品用包装体を提供するという効果を奏する。また、従来に比較して製造コストを低廉化し得るという効果を奏する。
また本発明に係る食品包装体は、包装体に捨て紙の束を固着しておき、使用時に簡単に取り出すことができ、捨て紙の束から容易に所望の捨て紙を切り離すことができるという優れた効果を有する。
さらに本発明に係る食品包装体は、文字等の情報を捨て紙に予め印刷しておくことにより、新規な広告方法としての機能を発揮する効果を奏する。
【図面の簡単な説明】
【００１３】
【図１】本発明の実施形態１に係る食品用包装体の一例を示す斜視図である。
【図２】図１に示すII−II断面図である。
【図３】図１に係る食品用包装体における直方筐体を分解した状態を示す斜視図である。
【図４】本発明の実施形態２に係る食品包装体を構成する捨て紙に形成されたミシン目を説明するための一部平面図である。
【図５】本発明の実施形態３に係る食品包装体を構成する捨て紙の表面に印刷された情報を説明するための一部平面図である。
【図６】本発明の実施形態４に係る食品包装体を構成する捨て紙の先端片側角部に形成された切欠部を説明するための一部平面図である。
【図７】本発明の実施形態５に係る食品用包装体の一例を示す斜視図である。
【図８】本発明の実施形態６に係る食品用包装体の一例を示す斜視図である。
【図９】本発明の実施形態６に係る食品用包装体の使用方法を説明するための斜視図である。
【発明を実施するための形態】
【００１４】
以下、本発明の食品用包装体に係る実施形態を図面に則して説明する。以下に示す実施形態は本発明の食品用包装体の一例であって、本発明の技術的範囲を限定するものではない。
【００１５】
実施形態１
図１乃至図３は、本発明の実施形態１に係る食品用包装体の一例を示す図である。図１及び図３は斜視図であり、図２は断面図である。図１に示す如く、本発明の食品用包装体１０は、直方筐体１と、捨て紙の束５と、食品収納箱７によって構成されている。図１は捨て紙の束５と食品収納箱７とを、直方筐体１から半分程引き出した状態を示している。
【００１６】
図１に示す如く、捨て紙の束５は引出板６の表面に接着されている。ここで引出板６は特に捨て紙と別の部材で構成する必要はなく、捨て紙の束で引出板を代替しても良い。捨て紙の束５は複数の捨て紙が積層したものである。捨て紙の枚数は食品収納箱７に収納されている粒ガム等の小型定型食品の数量によって調整される。また前記捨て紙の束は、内部側の根元部分が相互に接着される接着部によって束状に形成されている。本実施形態１に係る食品用包装体１０は、このような構成を採用することによって、捨て紙の束５を直方筐体１内に収納することができるため、使用中以外は捨て紙を衛生的に容器内に収納することができる。
食品収納箱７には、複数の粒ガム等の小型定型食品３が収納されている。小型定型食品３は、粒ガム、飴、清涼菓子等である。前記食品収納箱７の上面には、収納された小型定型食品３を取り出すための開口部８が形成されている。
【００１７】
次に図２に則して本実施形態１に係る食品用包装体１０の内部構成を説明する。図２に示す如く、本実施形態１に係る食品用包装体１０は、直方筐体１と、捨て紙の束５と、食品収納箱７と、ベルト支持板２と、無端ベルト４によって構成されている。図２は捨て紙５と食品収納箱７とを、直方筐体１から半分程引き出した状態を示している。
ここで、ベルト支持板２は直方筐体１の正面と背面の裏側に梁渡されて固着されている。図２に示す如く、無端ベルト４は前記ベルト支持板２の外周に開口方向に摺動するように摺動外嵌されている。
【００１８】
図２に示す如く、捨て紙の束５は引出板６の表面に接着されている。引出板６の根元部分裏面は、無端ベルト４の上面接着部１１ａによって無端ベルト４に接着固定されている。また食品収納箱７の上面端部は、無端ベルト４の上面接着部１１ｂによって無端ベルト４に接着固定されている。
本実施形態１に係る食品用包装体１０は、このような構成を採用することによって、包装体に捨て紙の束を固着しておき、使用時に簡単に取り出すことができる。
【００１９】
次に図３に則して本実施形態１に係る食品用包装体１０の製造方法を説明する。
図３に示す如く、本実施形態に係る食品用包装体１０は、直方筐体１と、捨て紙の束５と、食品収納箱７によって構成されている。図３は捨て紙５と食品収納箱７とを、直方筐体１から半分程引き出し、直方筐体１を分解した状態を示している。
図３に示す如く、捨て紙の束５は引出板６の表面に接着されている。捨て紙の束５は、内部側の根元部分が相互に接着される接着部によって束状に形成されている。食品収納箱７には、複数の粒ガム等の小型定型食品が収納されている。かかる食品収納箱７の上面には、収納された食品を取り出すための開口部８が形成されている。
またベルト支持板２の外周には無端ベルト４が摺動外嵌されている。捨て紙の束５が接着された引出板６の根元部分裏面は、無端ベルト４の上面に接着固定されている。また食品収納箱７の上面端部は、無端ベルト４の下面側に接着固定されている。
【００２０】
ベルト支持板２には内側正面板３１が連接している。かかる内側正面板３１は、前記ベルト支持板２より下方へ屈曲される。前記内側正面板３１には、内側底面板３２が連接している。かかる内側底面板３２は、前記内側正面板３１より後方へ屈曲される。前記内側底面板３２には、後面板３３が連接している。かかる後面板３３は、前記内側底面板３２より上方へ屈曲される。前記後面板３３には、上面板３４が連接している。かかる上面板３４は前記後面板３３より上記ベルト支持板２及び無端ベルト４とを包囲するように前方へ屈曲している。また上面板３４には引出板６を把持しやすくするための切り欠き部３７が形成されている。さらに前記上面板３４には外側正面板３５が連接している。かかる外側正面板３５は内側正面板３１の外面を包囲するように上面板３４より下方へ屈曲される。前記外側正面板３５には外側底面板３６が連接している。かかる外側底面板３６は前記外側正面板３５より後方へ屈曲し、上記内側底面板３２の表面に接着される。
このようにして本実施形態に係る食品用包装体１０を製造することができる。
【００２１】
実施形態２
図４は、本発明の実施形態２に係る食品用包装体に使用される捨て紙の束４５を示す一部平面図である。
捨て紙の束４５は、複数の捨て紙を積層して形成する。捨て紙の枚数は食品収納箱に収納されている粒ガム等の小型定型食品の数量によって調整される。また前記捨て紙の束４５は、内部側の根元部分が相互に接着される接着部４１によって束状に形成されている。
【００２２】
本実施形態２においては、前記捨て紙の束４５が前記接着部４１と接着されていない箇所４２の境界線に沿うようにミシン目４０が形成されている。
本実施形態２に係る食品用包装体は、このような構成を採用することによって、捨て紙の束を使用時に簡単に取り出した後、捨て紙の束から容易に所望の捨て紙を切り離すことができる。
【００２３】
実施形態３
図５は、本発明の実施形態３に係る食品用包装体に使用される捨て紙の束５５を示す一部平面図である。
捨て紙の束５５は、複数の捨て紙を積層して形成する。捨て紙の枚数は食品収納箱に収納されている粒ガム等の小型定型食品の数量によって調整される。また前記捨て紙の束５５は、内部側の根元部分が相互に接着される接着部によって束状に形成されている。
【００２４】
本実施形態３においては、前記捨て紙の束５５が前記接着部５１と接着されていない箇所の境界線に沿うようにミシン目５０が形成されている。
また捨て紙の束５５には各捨て紙の表面毎に文字・図形等による情報Ｉが印刷されている。
本実施形態３に係る食品用包装体は、このような構成を採用することによって、捨て紙の束を使用時に簡単に取り出した後、捨て紙の束から容易に所望の捨て紙を切り離すことができると共に、新規な広告媒体としての機能を発揮することができる。
【００２５】
実施形態４
図６は、本発明の実施形態４に係る食品用包装体に使用される捨て紙の束６５を示す一部平面図である。
捨て紙の束６５は、複数の捨て紙を積層して形成する。捨て紙の枚数は食品収納箱に収納されている粒ガム等の小型定型食品の数量によって調整される。また前記捨て紙の束６５は、内部側の根元部分が相互に接着される接着部によって束状に形成されている。
本実施形態４においては、前記捨て紙の束６５が前記接着部６１と接着されていない箇所の境界線に沿うようにミシン目６０が形成されている。
【００２６】
また捨て紙の束６５は、外部側の先端片側角部を切り欠くことによって切欠部６１を形成している。このような構成を採用することによって、使用者は捨て紙の把持部６６を持って捨て紙の束を図６中の矢印方向へ引き出すことになる。ミシン目６０はミシン目の形成方向に対し直角方向に対する耐引裂力が、斜め方向に対する耐引裂力より強いため、把持部６６を摘んで捨て紙を引き出すことによってミシン目の形成方法に対して斜め方向から引張応力を加えることができるため、捨て紙の束からより容易に所望の捨て紙を切り離すことができる。
【００２７】
実施形態５
図７は、本発明の実施形態５に係る食品用包装体の一例を示す斜視図である。
図７に示す如く、本発明の食品用包装体７０は、直方筐体７１と、捨て紙の束７５と、食品収納箱７７によって構成されている。図７は捨て紙の束７５と食品収納箱７７とを、直方筐体７１から半分程引き出した状態を示している。
図７に示す如く、捨て紙の束７は引出板７６の表面に接着されている。ここで捨て紙の束７５は複数の捨て紙が積層したものである。前記捨て紙の束７５は、内部側の根元部分が相互に接着される接着部によって束状に形成されている。また捨て紙の束７５には各捨て紙の表面中央に文字・図形等による情報Ｉが印刷されている。
【００２８】
本実施形態５に係る食品用包装体７０は、このような構成を採用することによって、捨て紙の束７５を直方筐体７１内に収納することができるため、使用中以外は捨て紙を衛生的に容器内に収納することができる。
食品収納箱７７には、複数の粒ガム等の小型定型食品が収納されている。小型定型食品は、粒ガム、飴、清涼菓子等である。前記食品収納箱７７の上面には、収納された小型定型食品を取り出すための開口部７８が形成されている。
【００２９】
さらに本実施形態５に係る食品用包装体の直方筐体７１の上面には、開口した窓部７９が形成され、前記捨て紙の表面に印刷された情報Ｉが外部より視認可能に形成されている。捨て紙の表面に商品名等を予め印刷しておけば、捨て紙を使用する度に購入者に商品名の記憶を促すことができる。
【００３０】
実施形態６
図８及び９は、本発明の実施形態６に係る食品用包装体の一例を示す斜視図である。図９は、捨て紙の束と食品収納箱とを引き出した状態を示すものである。
図８に示す如く、本発明の食品用包装体８０は、携帯時には直方筐体８１の中に捨て紙の束と食品収納箱とを収納しておくことができる。使用時には切り欠き部８９より露出している食品収納箱８８を手指で把持することによって容易に引き出すことができる。図示しないが、直方筐体８１の背面板には正面板と対称する箇所に切り欠き部が設けられている。
【００３１】
図９は、捨て紙の束８５と食品収納箱８７とを、直方筐体８１から全部引き出した状態を示している。
図９に示す如く、捨て紙の束８５は引出板８６の表面に接着されている。ここで捨て紙の束８５は複数の捨て紙が積層したものである。前記捨て紙の束８５は、内部側の根元部分が相互に接着される接着部によって束状に形成されている。
本実施形態６に係る食品用包装体８０は、このような構成を採用することによって、捨て紙の束８５を直方筐体８１内に収納することができるため、使用中以外は図８に示す如く捨て紙を衛生的に容器内に収納することができる。
【００３２】
食品収納箱８７には、複数の粒ガム等の小型定型食品が収納されている。小型定型食品は、粒ガム、飴、清涼菓子等である。前記食品収納箱８７の上面には、収納された小型定型食品を取り出すための開口部８８が形成されている。
捨て紙の束が全て引き出された時に、ミシン目９０は図９に示す如く直方筐体８１の側方開口部の稜線に沿った位置にくる。このような状態で捨て紙を上方に持ち上げるとミシン目９０が直方筐体８１の開口部の稜線に接触し、捨て紙の束からより容易に所望の捨て紙を切り離すことができる。
【符号の説明】
【００３３】
１，７１，８１    直方筐体
２    ベルト支持板
３    粒ガム等の小型定型食品
４    無端ベルト
５，４５，５５，６５，７５，８５  捨て紙の束
６，７６，８６  引出板
７，７７，８７  食品収納箱
１０，７０，８０  食品用包装体
１１  接着部
４０，５０，６０  ミシン目
６１  切欠部
７１  窓部
Ｉ    文字・図形等による情報
【図１】
2012025416.tif 000003
【図２】
2012025416.tif 000004
【図３】
2012025416.tif 000005
【図４】
2012025416.tif 000006
【図５】
2012025416.tif 000007
【図６】
2012025416.tif 000008
【図７】
2012025416.tif 000009
【図８】
2012025416.tif 000010
【図９】
2012025416.tif 000011